(57)【特許請求の範囲】
【請求項１】
信号を変調する変調部と、
前記変調部にて変調された変調信号を無線基地局に無線信号として送信するための少なくとも第１のアンテナおよび第２のアンテナと、前記無線基地局の受信部は複数の通信パスを同時に受信するＣＤＭＡセルラー方式のＲＡＫＥ受信機を有し、前記変調部と、前記第１および前記第２のアンテナとの間に設けられ、送信信号の進行経路を切り替えるための送信信号経路切替手段と、
前記送信信号経路切替手段を制御するための切替制御手段と、
前記送信信号を分配するための電力分配手段を設け、
前記切替制御手段で前記送信信号経路切替手段を制御して、前記送信信号を前記第１のアンテナから出力する第１の送信状態と、前記送信信号を前記第２のアンテナから出力する第２の送信状態と、さらに、前記電力分配手段で前記送信信号を電力分配して、その各々の送信出力分配信号を前記第１のアンテナおよび前記第２のアンテナから同時に送信出力する第３の送信状態とが制御可能であり、
前記第１の送信状態、前記第２の送信状態、第３の送信状態を定期的に切り替えることで、前記第１乃至前記第３の送信状態のうち、どの状態が良好な通信状態かを判断する判断手段とを有し、
前記判断手段は、前記第１乃至第３の送信状態のうち最良の状態を判断し、前記切替制御手段は前記判断手段で判断された最良の状態となる様に前記送信信号経路切替手段を制御し、
前記変調部と前記送信信号経路切替手段との間に、前記変調部からの信号を電力増幅する、送信系の最終段としてのパワーアンプが配置されており、前記電力分配手段は、このパワーアンプから出力される前記送信信号を電力分配することを特徴とする車両に搭載されたダイバーシティ無線機。
【請求項２】
ある一定時間の平均送信電力を測定するための平均送信電力測定手段を有し、前記判断手段は、前記第１、第２および第３の送信状態における平均送信電力を前記平均送信電力測定手段で行い、前記平均送信電力がもっとも小さい場合の状態が最良の通信状態と判定することを特徴とする請求項１記載のダイバーシティ無線機。
【請求項３】
無線機で送信した出力信号を基地局で測定してその結果を前記無線機内に入手する手段を有し、
前記判断手段は、前記第１、第２および第３の送信状態における基地局での前記測定結果を入手し、前記測定結果を用いて電波伝播損失を計算し、その計算結果がもっとも小さい場合の状態を最良の通信状態と判定して、アンテナ選択することを特徴とする請求項１記載のダイバーシティ無線機。
【請求項４】
前記第１および前記第２のアンテナは、送受信共用のアンテナであって、
これら第１および前記第２のアンテナと前記送信信号経路切替手段との間で、前記第１および前記第２のアンテナに対応して設けられ、送受信信号を送信波と受信波とに分離する信号分離手段と、
前記信号分離手段の各々の受信信号出力部に接続された受信信号経路切替手段と、
前記第１および第２の受信状態のうち受信性能が最良の状態を判断する受信判断手段と、
前記受信判断手段の判断結果に基づいて、前記受信信号経路切替手段を制御して、前記第１のアンテナから受信するよう選択する第１の受信状態と、前記第２のアンテナから受信するように選択する第２の受信状態とを制御する受信制御手段とを有することを特徴とする請求項１乃至３に記載のダイバーシティ無線機。
【請求項５】
信号を変調する変調部と、
前記変調部にて変調された変調信号を無線基地局に無線信号として送信するための少なくとも第１のアンテナおよび第２のアンテナと、前記無線基地局の受信部は複数の通信パスを同時に受信するＣＤＭＡセルラー方式のＲＡＫＥ受信機を有し、前記変調部と、前記第１および前記第２のアンテナとの間に設けられ、送信信号の進行経路を切り替えるための送信信号経路切替手段と、
前記送信信号経路切替手段を制御するための切替制御手段と、
前記送信信号を分配するための電力分配手段を設け、
前記切替制御手段で前記送信信号経路切替手段を制御して、前記送信信号を前記第１のアンテナから出力する第１の送信状態と、前記送信信号を前記第２のアンテナから出力する第２の送信状態と、さらに、前記電力分配手段で前記送信信号を電力分配して、その各々の送信出力分配信号を前記第１のアンテナおよび前記第２のアンテナから同時に送信出力する第３の送信状態とが制御可能であり、
前記第１の送信状態、前記第２の送信状態、第３の送信状態を定期的に切り替えることで、前記第１乃至前記第３の送信状態のうち、どの状態が良好な通信状態かを判断する判断手段とを有し、
前記判断手段は、前記第１乃至第３の送信状態のうち最良の状態を判断し、前記切替制御手段は前記判断手段で判断された最良の状態となる様に前記送信信号経路切替手段を制御し、
前記変調部と前記送信信号経路切替手段との間に、前記変調部からの信号を電力増幅する、送信系の最終段としてのパワーアンプが配置されており、前記電力分配手段は、このパワーアンプから出力される前記送信信号を電力分配することを特徴とする携帯端末。
【請求項６】
ある一定時間の平均送信電力を測定するための平均送信電力測定手段を有し、前記判断手段は、前記第１、第２および第３の送信状態における平均送信電力を前記平均送信電力測定手段で行い、前記平均送信電力がもっとも小さい場合の状態が最良の通信状態と判定することを特徴とする請求項５記載の携帯端末。
【請求項７】
無線機で送信した出力信号を基地局で測定してその結果を前記無線機内に入手する手段を有し、
前記判断手段は、前記第１、第２および第３の送信状態における基地局での前記測定結果を入手し、前記測定結果を用いて電波伝播損失を計算し、その計算結果がもっとも小さい場合の状態を最良の通信状態と判定して、アンテナ選択することを特徴とする請求項５記載の携帯端末。
【請求項８】
前記第１および前記第２のアンテナは、送受信共用のアンテナであって、
これら第１および前記第２のアンテナと前記送信信号経路切替手段との間で、前記第１および前記第２のアンテナに対応して設けられ、送受信信号を送信波と受信波とに分離する信号分離手段と、
前記信号分離手段の各々の受信信号出力部に接続された受信信号経路切替手段と、
前記第１および第２の受信状態のうち受信性能が最良の状態を判断する受信判断手段と、
前記受信判断手段の判断結果に基づいて、前記受信信号経路切替手段を制御して、前記第１のアンテナから受信するよう選択する第１の受信状態と、前記第２のアンテナから受信するように選択する第２の受信状態とを制御する受信制御手段とを有することを特徴とする請求項５乃至７に記載の携帯端末。
【発明の詳細な説明】
【０００１】
【発明の属する技術分野】
本発明は、ダイバーシティ無線機に関し、特に、送信部のダイバーシティ回路構成および制御方法に関する。
【０００２】
【従来の技術】
近年、携帯端末等の無線通信機においては、マルチメディア化による通信データ量の増大や通信伝送速度の高速化、周波数の有効利用等の目的で、ＣＤＭＡ通信技術が用いられ始めている。ＣＤＭＡ通信では、一般的に空間で発生する多数の通信パスを、その受信機にＲＡＫＥ受信機を用いてパス合成するため、アンテナや受信回路を２系統以上使用するダイバーシティ構成は、採用していない。
【０００３】
以下に、従来のＣＤＭＡ無線通信機の実施形態を図６を用いて説明する。
【０００４】
図６に示す様に、無線通信機の高周波部は、送信系であるパワーアンプ１０１およびデュプレクサ１０９、アンテナ１１０と受信系である低雑音増幅器１１４から構成されている。
【０００５】
上述の様に、受信機は、ＲＡＫＥ受信機能を有していることから、アンテナ１１０の１系統で、多数の通信パスを受信することができるため、受信側に関しては、アンテナを２系統以上用いてダイバ−シティを行う必要がない。送信側に関しても、基地局が、同様にＲＡＫＥ受信機能を有しているため、一般的には、携帯端末で、２系統以上のアンテナを実装することはない。
【０００６】
ところが、近年、インターネットの普及やナビゲーションシステムと通信端末の融合化により、車両の高度通信化が進歩しつつあり、車両にセルラー方式の通信端末等が標準搭載されることが予想されている。
【０００７】
しかしながら、上記の従来技術では、車両搭載時において、車両高速移動時のドップラーシフトによる信号電力の急激な変動や車両の影響によるシャドーウィングにより通信品質の劣化、通信サービスエリアの縮小、消費電力の増大等の問題を解決できていない。
【０００８】
【発明が解決しようとする課題】
そこで、本発明者は、上記高速移動によるドップラーシフトや車両搭載によるシャドーウィングの影響を軽減するために２系統の無線部およびアンテナを実装して無線機を構成し、送信ダイバーシティを行なうことを検討したが、ここにおいても２系統の無線部およびアンテナを用いるために消費電力および実装面積が増大するという問題がある。
【０００９】
本発明は上記点に鑑みてなされたもので、送信ダイバーシティを行なうダイバーシティ無線機において、消費電力を低下させるとともに、実装面積を低減することを目的とする。
【００１０】
【課題を解決するための手段】
上記目的を達成するため、請求項１および５記載の発明では、変調部にて変調された変調信号を無線基地局に無線信号として送信するための少なくとも第１のアンテナおよび第２のアンテナと、前記変調部と、前記第１および前記第２のアンテナとの間に設けられ、送信信号の進行経路を切り替えるための送信信号経路切替手段と、前記送信信号経路切替手段を制御するための切替制御手段と、前記送信信号を分配するための電力分配手段を設け、前記切替制御手段で前記送信信号経路切替手段を制御して、前記送信信号を前記第１のアンテナから出力する第１の送信状態と、前記送信信号を前記第２のアンテナから出力する第２の送信状態と、さらに、前記電力分配手段で前記送信信号を電力分配して、その各々の送信出力分配信号を前記第１のアンテナおよび前記第２のアンテナから同時に送信出力する第３の送信状態とが制御可能であり、前記第１の送信状態、前記第２の送信状態、第３の送信状態を定期的に切り替えることで、前記第１乃至前記第３の送信状態のうち、どの状態が良好な通信状態かを判断する判断手段とを有し、前記判断手段は、前記第１乃至第３の送信状態のうち最良の状態を判断し、前記切替制御手段は前記判断手段で判断された最良の状態となる様に前記送信信号経路切替手段を制御し、前記変調部と前記送信信号経路切替手段との間に、前記変調部からの信号を電力増幅する、送信系の最終段としてのパワーアンプが配置されており、前記電力分配手段は、このパワーアンプから出力される前記送信信号を電力分配することを特徴としている。
【００１３】
ここで、例えば、一方のアンテナを利用して通信する場合では、突然に通信環境が悪化し、他方のアンテナに切替えて使用することが、本発明では可能であるが、切替え時にはどうしてもある程度、通信環境が悪化してしまう。
【００１４】
そこで、本発明では、第１、第２のアンテナの両方を使う第３の送信状態とすることで、一方のアンテナの送信状態が悪化したとしても、他方のアンテナでこれを補うことが可能である。
【００１５】
この結果、二つのアンテナの両方でにさらに顕著な送信ダイバーシティの効果を得ることができる。
【００２１】
【発明の実施の形態】
以下、本発明の実施の形態を図に基づいて説明する。
【００２２】
（第１の実施形態）
図１は、本発明のアンテナダイバーシティ無線機における第１の実施形態の概略構成図である。送信信号は、まずベースバンド処理部１１６で信号処理と拡散処理を行ってＩ，Ｑ信号を生成し、それらの信号を直交変調器１１５（本発明の変調部）で直交変調して無線変調信号を発生させてパワーアンプ部１０１で電力増幅する。
【００２３】
本発明の特徴は、送信系のパワーアンプ部１０１の出力部に電力分配器１０４を設け、送信信号電力を２分配して２系統のアンテナから出力する送信ダイバーシティ（以下、第３の送信状態という）および、アンテナ１あるいはアンテナ２のどちらかを選択（以下、アンテナ１選択時を第１の送信状態、アンテナ２選択時を第２の送信状態という）して出力することができる送信アンテナ選択機能を有することである。
【００２４】
実際には、パワーアンプ１０１の出力部を高周波線路１０２を介して高周波スイッチ１０３（本発明の送信信号経路切替手段）の４番端子に接続して、送信ダイバーシティを行う場合は、高周波スイッチ１０３の出力端子である２番端子を選択（端子４→２）して分配器１０４（本発明の電力分配手段）に接続する。分配器１０４は、パワーアンプ１０１の送信出力電力を等分配して、それぞれ高周波スイッチ１０７の１番端子と高周波スイッチ１０８の１番端子に信号送出する。
【００２５】
さらに送信ダイバーシティ実行時には、高周波スイッチ１０７は（端子１→３）、高周波スイッチ１０８は（端子１→３）のパスをそれぞれ選択して、高周波スイッチ１０７通過の送信出力信号は、デュプレクサ１０９を通過してアンテナ１１０から、また、高周波スイッチ１０８通過の送信出力信号は、デュプレクサ１１２を通過してアンテナ１１１から空間へ出力する。
【００２６】
これによって、アンテナ１１０とアンテナ１１１間の距離をある程度確保すれば、それぞれの送信出力信号を無相関で基地局に送出することができ、効率の良い通信状態を提供することができる。
【００２７】
次に、アンテナ１１０から送信信号を出力する場合は、高周波スイッチ１０３の出力端子である１番端子の選択（端子４→１）と高周波スイッチ１０７の２番端子の選択（端子２→３）により、パワーアンプ１０１の送信出力信号が、高周波線路１０２，高周波スイッチ１０３（端子４→１）、高周波線路１０５，高周波スイッチ１０７（端子２→３）、デュプレクサ１０９を経て、アンテナ１１０から出力される。
【００２８】
また、アンテナ１１１から送信信号を出力する場合は、高周波スイッチ１０３の出力端子である３番端子の選択（端子４→３）と高周波スイッチ１０８の２番端子の選択（端子２→３）により、パワーアンプ１０１の送信出力信号が、高周波線路１０２，高周波スイッチ１０３（端子４→３）、高周波線路１０６，高周波スイッチ１０８（端子２→３）、デュプレクサ１１２を経て、アンテナ１１１から出力される。
【００２９】
これら前述の高周波スイッチ（１０３，１０７，１０８）による切替制御は、制御部１１８が上述の送信状態の内もっとも望ましい状態を判断し、その結果から、スイッチ制御回路１１７が高周波スイッチ（１０３，１０７，１０８）を駆動している。
【００３０】
図５は、本発明のダイバーシティ無線機からの送信信号波を、基地局アンテナで受信した場合の受信状態図であり、基地局の受信状態は、次の３通りの状態（（ａ）アンテナ１，２からの送信信号波が、基地局において同程度の受信状態にある場合、（ｂ）アンテナ１からの送信信号波のみが、基地局において良好な受信状態にある場合、（ｃ）アンテナ２からの送信信号波のみが、基地局において良好な受信状態にある場合）が考えられる。
【００３１】
特に車両搭載時には、高速移動によるドップラーフェージングや、車両の進行方向、道路環境、アンテナの設置環境等によるシャドーイングにより、上述の３つの状態が顕著に発生する。
【００３２】
本発明では、あらゆる電波伝搬環境に対応するため、図５（ａ）の様な場合は、前述の送信ダイバーシティの状態で、本発明のダイバイシティ無線機から送信信号波を送出する。この場合、基地局に無相関で送信信号波が到達する様、アンテナ１（１１０）とアンテナ２（１１１）の設置距離は、ある程度確保している。
【００３３】
本発明のダイバーシティ無線機は、前述の電波伝搬環境において、各状態選択時の平均送信電力値や基地局からの受信電界強度の測定結果から、最良なアンテナ選択状態を判定している。
【００３４】
例えば、前述の第１、２および３の各送信状態において、ベースバンド処理部１１６内にある平均送信電力測定部で、ある一定期間の平均送信電力測定を行い、その各送信状態での平均送信電力値がもっとも低い値を示す状態が、もっとも望ましい状態と制御部１１８で判断している。これは、特にＣＤＭＡ方式で厳密に制御されている送信電力制御において、基地局に到達する送信信号強度を一定にするように制御（無線機の送信電力＋電波伝播減推量＋希望ＳＩＲ＝一定値）されるため、ダイバーシティ無線機（１０）のアンテナ−基地局間の電波伝播減衰量が小さい程、ダイバーシティ無線機（１０）の送信電力は低く制御されからであり、電波伝播減衰量が小さい場合が最も良好なアンテナ選択状態（通信状態）であることは言うまでもない。
【００３５】
また、前述の第１、２および３の各送信状態において、基地局で信号強度測定を行って、その測定結果と希望ＳＩＲの値（希望ＳＩＲの値はＣＤＭＡ方式の場合のみ使用）をダイバーシティ無線機（１０）で受信して、それらの値と基地局へ送信した時の送信電力から電波伝播減推量を算出して、電波伝播減推量がもっとも小さい状態を判断して最も良好なアンテナ選択状態（通信状態）を実現する。
【００３６】
これら上述の送信アンテナ選択ダイバーシティにより、送信出力電力の軽減による低消費電力化が図れ、また送信アンテナ選択ダイバーシティを２系統の無線送信部を用いることなく簡単な構成で実現しているため、無線機の実装面積の低減と消費電力の抑制も可能である。
【００３７】
また、例えば、一方のアンテナを利用して通信する場合では、突然に通信環境が悪化し、他方のアンテナに切替えて使用することができるが、切替え時にはどうしてもある程度、通信環境が悪化してしまう。そこで、上述したように複数の通信パスを同時に受信するＲＡＫＥ受信機を有するＣＤＭＡセルラー方式のシステムにおいて、アンテナ１，２の両方を使う第３の送信状態とすることで、一方のアンテナの送信状態が悪化したとしても、ＲＡＫＥ受信により、他方のアンテナでこれを補うことが可能である。これは、図５（ｂ）、（ｃ）での受信波４４０、４７０はレイク受信し合成した信号波形である。この結果、二つのアンテナ１、２の両方でにさらに顕著な送信ダイバーシティの効果を得ることができる。
【００３８】
また、本例では、さらに車両搭載時に、事故等によりアンテナが１系統破損した場合でも通信が可能な冗長性に優れており、信頼性の高い無線機を提供することができる。
【００３９】
受信系においては、高周波スイッチ１１３により、１番端子選択（端子１→３）の場合は、アンテナ１１０からデュプレクサ１０９を介して基地局からの信号を受信（以下、第１の受信状態という）し、２番端子選択（端子２→３）の場合は、アンテナ１１１からデュプレクサ１１２を介して基地局からの信号を受信（以下、第２の受信状態という）することができる。
【００４０】
また、第１および第２の受信状態のうち受信性能が最良の状態を、制御部１１８で判断し、送信アンテナ選択と同様、最良な受信状態となるようにスイッチ制御回路１１７で高周波スイッチ１１３制御することで、受信部のアンテナ選択ダイバーシティを実現できる。また本発明では、前述の送信ダイバーシティ動作とは、全く別制御が可能であり、送信側の最良な通信状態と受信の最良な通信状態が異なる場合においても、個別に制御することができる。
【００４１】
また、最良の受信状態となるように判定して受信アンテナ選択制御を行い、この選択されたアンテナが信号送信のためにも使用されるように高周波スイッチを選択するもので、アンテナの選択制御方法を簡略化し制御の高速化を図っている。この場合、２系統のアンテナ１１０，１１１から同時に送信出力されることはない。
【００４２】
（第２の実施形態）
図２は、本発明のアンテナダイバーシティ無線機における第２の実施形態の概略構成図で、ダイバーシティ無線機をより高効率化するためにパワーアンプ部にプッシュプル増幅器２０２を使用している。プッシュプル増幅器２０２は、２系統のパワーアンプ部２０１ａ、２０１ｂを有し、１８０°電力分配器２１０によって位相差１８０°の分配電力が各々に供給されているため、各々１８０°の位相差をもって、動作するものである。
【００４３】
送信ダイバーシティを行う場合は、プッシュプル増幅器２０２の２系統のパワーアンプ部２０１ａ、２０１ｂおよび高周波スイッチ２０３，２０４，２０７，２０８を用いて行う。
【００４４】
実際には、高周波スイッチ２０３が１番端子を選択（端子３→１）し、高周波スイッチ２０７が２番端子を選択（端子２→３）することにより、パワーアンプ部２０１ａの送信信号がデュプレクサ１０９を介して一方のアンテナ１１０から出力され、高周波スイッチ２０４が２番端子を選択（端子３→２）し、高周波スイッチ２０８が２番端子を選択（端子２→３）することにより、パワーアンプ部２０１ｂの送信信号がデュプレクサ１１２を介してもう一方のアンテナ１１１から出力されることで、送信ダイバーシティが実現される。
【００４５】
送信アンテナ選択ダイバーシティの場合は、ダイバーシティ無線機を高効率化するために、２通りの制御を行うことができる。
【００４６】
高出力送信が必要な場合は、高周波スイッチ２０３が２番端子を選択（端子３→２）し、高周波スイッチ２０４が１番端子を選択（端子３→１）することで、プッシュプル増幅器２０２の各パワーアンプ部２０１ａ、２０１ｂの送信増幅信号を電力合成器２０５で電力合成する。その後、アンテナ１１０から送信信号を出力する場合は、高周波スイッチ２０６が１番端子を選択（端子３→１）し、高周波スイッチ２０７が１番端子を選択（端子１→３）することで実現し、アンテナ１１１から送信信号を出力する場合は、高周波スイッチ２０６が２番端子を選択（端子３→２）し、高周波スイッチ２０８が１番端子を選択（端子１→３）することで実現される。
【００４７】
高出力送信が必要なく、アンテナ１１０から送信する場合は、高周波スイッチ２０３が１番端子を選択（端子３→１）し、高周波スイッチ２０７が２番端子を選択（端子３→２）することで実現される。この際、パワーアンプ部２０１ｂの電源供給は停止され、低消費電力化が図られる。
【００４８】
同様に、アンテナ１１１から送信する場合は、高周波スイッチ２０４が２番端子を選択（端子３→２）し、高周波スイッチ２０８が２番端子を選択（端子３→２）することで実現される。この際、上述とは逆のパワーアンプ部２０１ａの電源供給が停止され、低消費電力化が図られることになる。
【００４９】
受信部のアンテナ選択制御においては、図１と同様、高周波スイッチ１１３により、１番端子選択（端子１→３）の場合は、アンテナ１１０からデュプレクサ１０９を介して、低雑音増幅器１１４で基地局からの信号を受信し、２番端子選択（端子２→３）の場合は、アンテナ１１１からデュプレクサ１１２を介して、低雑音増幅器１１４で基地局からの信号を受信することができる。
【００５０】
（第３の実施形態）
図３は、本発明のアンテナダイバーシティ無線機における第３の実施形態の概略構成図である。本発明の構成では、送信および受信側のアンテナ選択ダイバーシティのみを行うことができ、図１の様なアンテナ１１０とアンテナ１１１両方から送信信号出力する送信ダイバーシティは実現できない。
【００５１】
送信部のアンテナ選択制御においては、高周波スイッチ２０１により、１番端子選択（端子３→１）の場合は、パワーアンプ１０１の送信出力信号をデュプレクサ１０９を介してアンテナ１１０から出力し、２番端子選択（端子３→２）の場合は、パワーアンプ１０１の送信出力信号をデュプレクサ１１２を介してアンテナ１１１から出力することができる。
【００５２】
受信部のアンテナ選択制御においては、図１と同様、高周波スイッチ１１３により、１番端子選択（端子１→３）の場合は、アンテナ１１０からデュプレクサ１０９を介して基地局からの信号を受信し、２番端子選択（端子２→３）の場合は、アンテナ１１１からデュプレクサ１１２を介して基地局からの信号を受信することができる。
【００５３】
（本発明の制御処理）
図４は、本発明における図１中のダイバーシティアンテナ部の制御処理を示すフローチャートである。
【００５４】
最良の通信状態を確立するために、まずＳ１１０で、前述した高周波スイッチ１０３，１０７、１０８を制御して送信ダイバーシティ状態にする。この状態で無線機のある一定区間の平均送信電力の測定、あるいは基地局の受信電界強度の測定結果を取得する。
【００５５】
次に、同様にしてＳ１２０で、前述した高周波スイッチ１０３，１０７、１１３を制御してアンテナ１（１１０）を選択し、無線機のある一定区間の平均送信電力の測定、あるいは基地局の受信電界強度の測定結果、また移動端末側の受信電界強度等を取得する。
【００５６】
さらに、Ｓ１３０で、前述した高周波スイッチ１０３，１０８、１１３を制御してアンテナ２（１１１）を選択し、無線機のある一定区間の平均送信電力の測定、あるいは基地局の受信電界強度の測定結果、また移動端末側の受信電界強度等を取得する。
【００５７】
これら、Ｓ１１０〜Ｓ１３０で取得したデータをもとに、Ｓ１４０で移動端末の送信および受信の最良状態を選択し、Ｓ１５０〜Ｓ１７０のいずれか１つを実行する。
【００５８】
これら一連の制御動作を、ある一定の周期で繰り返し、もっとも望ましい送受信状態の選択を行うことができる。
【００５９】
なお、本発明に係わるダイバーシティ無線機１０は、携帯端末以外の他の無線通信機にも用いることもできる。
【図面の簡単な説明】
【図１】本発明のアンテナダイバーシティ無線機における第１の実施形態の概略構成図である。
【図２】本発明のアンテナダイバーシティ無線機における第２の実施形態の概略構成図である。
【図３】本発明のアンテナダイバーシティ無線機における第３の実施形態の概略構成図である。
【図４】本発明における図１中のダイバーシティアンテナ部の制御処理を示すフローチャートである。
【図５】（ａ）、（ｂ）、（ｃ）は、本発明のダイバーシティ無線機からの送信信号波を基地局アンテナで受信した場合の受信状態図である。
【図６】従来のＣＤＭＡ無線機の概略構成を説明するための概略構成図である。
【符号の説明】
１０１・・・パワーアンプ、
１０４・・・電力分配器
１０３，１０７，１０８，１１３、２０３，２０４、２０６，２０７，２０８、３０１・・・高周波スイッチ
１０９，１１２・・・デュプレクサ、
１１０，１１１・・・アンテナ
１１４・・・低雑音増幅器、
１１５・・・直交変調器
１１６・・・ベースバンド処理部、
１１７・・・スイッチ制御回路部
１１８・・・制御部
２０２・・・プッシュプル型電力増幅器、
２０５・・・電力合成器
２１０・・・電力分配器
４１０，４４０、４７０・・・基地局でのＲＡＫＥ受信後の受信波形
４２０，４５０，４８０・・・アンテナ１から基地局に到達する受信波形
４３０，４６０，４９０・・・アンテナ２から基地局に到達する受信波形
【図１】
0003818078.tif 000002
【図２】
0003818078.tif 000003
【図３】
0003818078.tif 000004
【図４】
0003818078.tif 000005
【図５】
0003818078.tif 000006
【図６】
0003818078.tif 000007